(57)【要約】【課題】電力供給者の電力使用量の調整要求に応じて、設備装置の電力使用量を調整することが容易なデマンドレスポンスシステムを提供する【解決手段】デマンドレスポンスシステム１００は、暖房装置２０と、上位側から電力調整要求を受け、電力調整要求に応じて暖房装置を制御する制御装置２００と、を備える。暖房装置は、電気を使う熱源機器としての室外機３０、室外機の熱を利用する暖房ユニット、及び水媒体回路を有する。水媒体回路は、室外機の熱を暖房ユニットに搬送するための水媒体を内部で循環させる。水媒体回路は、水媒体を蓄える蓄熱タンクと、三方弁６１ａ，６１と、を有する。三方弁は、蓄熱タンクに水媒体が流れる第１状態と、蓄熱タンクに水媒体が流れない第２状態とを切り替える。制御装置は、三方弁を切り替える三方弁制御部２３ａを有する。三方弁制御部は、電力調整要求を基に、三方弁を切り替える。【選択図】図３
2014236581.tif 000002
【特許請求の範囲】
【請求項１】
電気を使う熱源機器（３０，５３）、前記熱源機器の熱を利用する二次側機器（４０ａ，４０ｂ）、及び、前記熱源機器の熱を前記二次側機器に搬送するための熱媒体を内部で循環させる循環路（８０）、を有する設備装置（２０）と、
上位側から電力調整要求を受け、前記電力調整要求に応じて前記設備装置を制御する制御装置（２００）と、
を備え、
前記循環路は、熱媒体を蓄える蓄熱タンク（６０）と、前記蓄熱タンクに熱媒体が流れる第１状態と前記蓄熱タンクに熱媒体が流れない第２状態とを切り替える切替手段（６１ａ，６１ｂ，６４）と、を有し、
前記制御装置は、前記切替手段を切り替える切替制御部（２３ａ，２３ｄ）を有し、
前記切替制御部は、前記電力調整要求を基に、前記切替手段を切り替える、
デマンドレスポンスシステム（１００）。
【請求項２】
前記切替制御部は、前記制御装置が前記電力調整要求を受けている場合に前記第１状態になるように前記切替手段を切り替え、前記制御装置が前記電力調整要求を受けていない場合に前記第２状態になるように前記切替手段を切り替える、
請求項１に記載のデマンドレスポンスシステム。
【請求項３】
前記制御装置は、前記制御装置が第１期間に前記電力調整要求を受ける可能性があるか否かを判断する判断部（１２ａ）を更に有し、
前記切替制御部（２３ｄ）は、前記判断部が、前記制御装置が前記第１期間に電力使用量の促進を要求する前記電力調整要求を受ける可能性があると判断する場合に、前記蓄熱タンクの蓄熱量を減少させるために、前記第１状態になるように前記切替手段（６４）を切り替える、
請求項２に記載のデマンドレスポンスシステム。
【請求項４】
前記制御装置は、前記熱源機器の稼動／停止を制御する熱源機器制御部（２３ｂ，２３ｃ）を更に有し、
前記熱源機器制御部は、前記判断部が、前記制御装置が前記第１期間に電力使用量の促進を要求する前記電力調整要求を受ける可能性があると判断し、かつ、前記二次側機器が稼動している場合に、前記熱源機器を停止する、
請求項３に記載のデマンドレスポンスシステム。
【請求項５】
前記制御装置は、前記熱源機器の稼動／停止を制御する熱源機器制御部（２３ｂ，２３ｃ）と、前記二次側機器の稼動／停止を制御する二次側機器制御部（２３ｅ）と、を更に有し、
前記判断部が、前記制御装置が前記第１期間に電力使用量の促進を要求する前記電力調整要求を受ける可能性があると判断し、かつ、前記二次側機器が停止している場合に、
前記熱源機器制御部は、前記熱源機器を稼動させず、
前記二次側機器制御部は、停止中の前記二次側機器を稼動させる、
請求項３に記載のデマンドレスポンスシステム。
【請求項６】
前記制御装置は、前記制御装置が第２期間に前記電力調整要求を受ける可能性があるか否かを判断する判断部（１２ａ）と、前記熱源機器の稼動／停止を制御する熱源機器制御部（２３ｂ，２３ｃ）と、を更に有し、
前記判断部が、前記制御装置が前記第２期間に電力使用量の抑制を要求する前記電力調整要求を受ける可能性があると判断する場合であって、かつ、前記二次側機器が停止している場合に、
前記切替制御部（２３ａ）は、前記第１状態になるように前記切替手段（６１ａ，６１ｂ）を切り替え、
前記熱源機器制御部は、前記熱源機器を稼動させ、前記蓄熱タンクの蓄熱量を増加させる、
請求項２に記載のデマンドレスポンスシステム。
【請求項７】
前記制御装置は、前記制御装置が第３期間に前記電力調整要求を受ける可能性があるか否かを判断する判断部（１２ａ）と、前記熱源機器の稼動／停止を制御する熱源機器制御部（２３ｂ，２３ｃ）と、を更に有し、
前記判断部が、前記制御装置が前記第３期間に電力使用量の促進を要求する前記電力調整要求を受ける可能性がないと判断する場合であって、かつ、前記二次側機器が停止している場合に、
前記切替制御部（２３ａ）は、前記第１状態になるように前記切替手段（６１ａ，６１ｂ）を切り替え、
前記熱源機器制御部は、前記熱源機器を稼動させ、前記蓄熱タンクの蓄熱量を増加させる、
請求項２に記載のデマンドレスポンスシステム。
【請求項８】
前記蓄熱タンクは、前記蓄熱タンク内の前記熱媒体の温度を測定する温度検出器（６０ａ）を有し、
前記切替制御部は、前記制御装置が電力消費量の抑制を要求する前記電力調整要求を受けている場合であっても、前記温度検出器で検出された温度が所定範囲を外れる場合には、前記第２状態になるように前記切替手段を切り替える、
請求項２に記載のデマンドレスポンスシステム。
【請求項９】
前記制御装置は、複数の前記設備装置それぞれに設けられ、前記設備装置それぞれを制御するコントローラ（２１）と、複数の前記コントローラを統括して制御するアグリゲータ（１０）と、を含む、
請求項１から８のいずれか１項に記載のデマンドレスポンスシステム。
【発明の詳細な説明】
【技術分野】
【０００１】
本発明は、デマンドレスポンスシステムに関する。
【背景技術】
【０００２】
従来、電気を使う熱源を用いて、回路内を循環する熱媒体を加熱又は冷却し、加熱又は冷却された循環熱媒体を用いて、空気や液体等の他の媒体を加熱又は冷却する設備装置が知られている。例えば、特許文献１（特開２００９−２８１６４２号公報）には、ヒートポンプを用いて熱源側回路内を流れる熱源側熱媒水を加熱し、加熱された熱源側熱媒水を用いて利用側回路内を流れる利用側熱媒水を加熱する暖房装置が開示されている。
【０００３】
ところで、現在、電力供給者からの電力使用量の調整要求に応じて、電力需要者側で電気機器の電力使用量の調整を行うデマンドレスポンスシステムが知られている。例えば、特許文献２（特開２０１２−６５４０７号公報）に開示された電力制御システムでは、デマンドレスポンスサーバが、電力供給者の電力使用量の調整要求に応じて、複数のビルに設置された空調機器や照明機器等の電気機器の電力使用量の調整制御を行う。
【０００４】
上述のような、設備装置の電力使用量の制御を行うデマンドレスポンスシステムにおいては、設備装置は、特許文献１（特開２００９−２８１６４２号公報）に開示されているように、熱媒体を蓄える蓄熱タンクを備え、かつ、蓄熱タンクへの蓄熱と蓄熱タンクに蓄えられた熱の利用とを切り替えて実行可能であることが望ましい。設備装置は、蓄熱タンクを有することで、電力使用量の抑制要求がある時には蓄熱タンクに蓄えられた熱を利用し、電力使用量の増加要求がある時には蓄熱タンクに熱を蓄えることが可能であり、設備装置のユーザの要求を満たしながら電力使用量の調整に応じることが可能である。
【発明の概要】
【発明が解決しようとする課題】
【０００５】
しかし、特許文献１（特開２００９−２８１６４２号公報）のように、回路内を流れる循環冷媒の温度に応じて、蓄熱タンクへの蓄熱と蓄熱タンクに蓄えられた熱の利用とが切り替えられる場合には、デマンドレスポンスサーバから電力使用量の削減又は促進の要求があった時に、これに応じることができない可能性がある。例えば、デマンドレスポンスサーバから電力使用量の促進要求があったとしても、既に蓄熱タンクに十分に蓄熱されている場合には、この要求に応じることが難しい。逆に、デマンドレスポンスサーバから電力使用量の抑制要求があったとしても、蓄熱タンクに十分に蓄熱されていない場合には、この要求に応じることが難しい。
【０００６】
本発明の課題は、設備装置を含むデマンドレスポンスシステムであって、電力供給者の電力使用量の調整要求に応じて、設備装置の電力使用量を調整することが容易なデマンドレスポンスシステムを提供することにある。
【課題を解決するための手段】
【０００７】
本発明の第１観点に係るデマンドレスポンスシステムは、設備装置と、制御装置と、を備える。設備装置は、電気を使う熱源機器、二次側機器、及び循環路を有する。二次側機器は、熱源機器の熱を利用する。循環路は、熱源機器の熱を二次側機器に搬送するための熱媒体を内部で循環させる。制御装置は、上位側から電力調整要求を受け、電力調整要求に応じて設備装置を制御する。循環路は、熱媒体を蓄える蓄熱タンクと、切替手段と、を有する。切替手段は、蓄熱タンクに熱媒体が流れる第１状態と、蓄熱タンクに熱媒体が流れない第２状態とを切り替える。制御装置は、切替手段を切り替える切替制御部を有する。切替制御部は、電力調整要求を基に、切替手段を切り替える。
【０００８】
ここでは、電力調整要求に基づいて、蓄熱タンクに熱媒体が流れる第１状態と、蓄熱タンクに熱媒体が流れない第２状態とが切り替えられる。そのため、本デマンドレスポンスシステムでは、蓄熱タンクの適切な利用を図ることが容易で、電力調整要求に応じて、精度よくデマンドレスポンスを実現することが可能である。
【０００９】
本発明の第２観点に係るデマンドレスポンスシステムは、第１観点に係るデマンドレスポンスシステムであって、切替制御部は、制御装置が電力調整要求を受けている場合に第１状態になるように切替手段を切り替え、制御装置が電力調整要求を受けていない場合に第２状態になるように切替手段を切り替える。
【００１０】
ここでは、電力調整要求がある場合に、蓄熱タンクに熱媒体が流れるように制御されるため、電力の使用抑制を要求する電力調整要求を受けた場合に蓄熱タンクに蓄えられた熱を二次側機器が利用でき、電力の使用促進を要求する電力調整要求を受けた場合に蓄熱タンクに蓄熱することができる。その結果、精度よくデマンドレスポンスを実現することが可能である。
【００１１】
本発明の第３観点に係るデマンドレスポンスシステムは、第２観点に係るデマンドレスポンスシステムであって、制御装置は、制御装置が第１期間に電力調整要求を受ける可能性があるか否かを判断する判断部を更に有する。切替制御部は、判断部が、制御装置が第１期間に電力使用量の促進を要求する電力調整要求を受ける可能性があると判断する場合に、蓄熱タンクの蓄熱量を減少させるために、第１状態になるように切替手段を切り替える。
【００１２】
ここでは、第１期間に電力使用量の促進を要求する電力調整要求を受けると判断される場合に、蓄熱タンクの蓄熱量を減少させるよう切替手段が制御されるため、電力使用量の促進を要求する電力調整要求を受けた時に、その電力調整要求に応じることが容易である。その結果、精度よくデマンドレスポンスを実現することが可能である。
【００１３】
本発明の第４観点に係るデマンドレスポンスシステムは、第３観点に係るデマンドレスポンスシステムであって、制御装置は、熱源機器の稼動／停止を制御する熱源機器制御部を更に有する。熱源機器制御部は、判断部が、制御装置が第１期間に電力使用量の促進を要求する電力調整要求を受ける可能性があると判断し、かつ、二次側機器が稼動している場合に、熱源機器を停止する。
【００１４】
ここでは、第１期間に電力使用量の促進を要求する電力調整要求を受けると判断されると、二次側機器の稼動中に熱源機器が停止させられるため、蓄熱タンクに蓄えられた熱が二次側機器に利用され、蓄熱タンクの蓄熱量が減少する。そのため、本デマンドレスポンスシステムでは、電力使用量の促進を要求する電力調整要求を受けた時に、蓄熱タンクに蓄熱することが容易である。
【００１５】
本発明の第５観点に係るデマンドレスポンスシステムは、第３観点に係るデマンドレスポンスシステムであって、制御装置は、熱源機器制御部と、二次側機器制御部と、を更に備える。熱源機器制御部は、熱源機器の稼動／停止を制御する。二次側機器制御部は、二次側機器の稼動／停止を制御する。判断部が、制御装置が第１期間に電力使用量の促進を要求する電力調整要求を受ける可能性があると判断し、かつ、二次側機器が停止している場合に、熱源機器制御部は、熱源機器を稼動させない。また、その場合に、二次側機器制御部は、停止中の二次側機器を稼動させる。
【００１６】
ここでは、第１期間に電力使用量の促進を要求する電力調整要求を受けると判断され、かつ、二次側機器が停止している場合に、熱源機器を稼動させることなく、二次側機器が稼動させられる。そのため、蓄熱タンクに蓄えられた熱が二次側機器に利用され、蓄熱タンクの蓄熱量が減少する。その結果、本デマンドレスポンスシステムでは、電力使用量の促進を要求する電力調整要求を受けた時に、蓄熱タンクに蓄熱することが容易である。
【００１７】
本発明の第６観点に係るデマンドレスポンスシステムは、第２観点に係るデマンドレスポンスシステムであって、制御装置は、判断部と、熱源機器制御部と、を更に有する。判断部は、制御装置が第２期間に電力調整要求を受ける可能性があるか否かを判断する。熱源機器制御部は、熱源機器の稼動／停止を制御する。判断部が、制御装置が第２期間に電力使用量の抑制を要求する電力調整要求を受ける可能性があると判断する場合であって、かつ、二次側機器が停止している場合に、切替制御部は、第１状態になるように切替手段を切り替える。また、その場合に、熱源機器制御部は、熱源機器を稼動させ、蓄熱タンクの蓄熱量を増加させる。
【００１８】
ここでは、第２期間に電力使用量の抑制を要求する電力調整要求を受けると判断され、かつ、二次側機器が停止している場合に、蓄熱タンクに熱媒体が流され、熱源機器の熱が蓄熱タンクに蓄熱される。そのため、電力使用量の抑制を要求する電力調整要求を受ける前に蓄熱タンクに蓄熱しておき、電力使用量の抑制を要求する電力調整要求を受けると、予め蓄熱しておいた蓄熱タンクの熱を利用することができる。つまり、本デマンドレスポンスシステムでは、電力使用量の抑制を要求する電力調整要求を受けた時に、その電力調整要求に応じることが容易で、精度よくデマンドレスポンスを実現することが可能である。
【００１９】
本発明の第７観点に係るデマンドレスポンスシステムは、第２観点に係るデマンドレスポンスシステムであって、制御装置は、判断部と、熱源機器制御部と、を更に有する。判断部は、制御装置が第３期間に電力調整要求を受ける可能性があるか否かを判断する。熱源機器制御部は、熱源機器の稼動／停止を制御する。判断部が、制御装置が第３期間に電力使用量の促進を要求する電力調整要求を受ける可能性がないと判断する場合であって、かつ、二次側機器が停止している場合に、切替制御部は、第１状態になるように切替手段を切り替える。また、その場合に、熱源機器制御部は、熱源機器を稼動させ、蓄熱タンクの蓄熱量を増加させる。
【００２０】
ここでは、第３期間に電力使用量の促進を要求する電力調整要求を受ける可能性がないと判断され、かつ、二次側機器が停止している場合に、蓄熱タンクに熱媒体が流され、熱源機器の熱が蓄熱タンクに蓄熱される。そのため、二次側機器は、その起動時に、直ちに必要な熱を得ることができ、応答性の高い設備機器を実現できる。
【００２１】
また、ここでは、第３期間に電力使用量の促進を要求される可能性がないと判断される場合に蓄熱タンクに蓄熱されるので、電力使用量の促進を要求する電力調整要求を受けた場合に、蓄熱タンクに蓄熱できないという状態が発生しにくい。
【００２２】
本発明の第８観点に係るデマンドレスポンスシステムは、第２観点に係るデマンドレスポンスシステムであって、蓄熱タンクは、蓄熱タンク内の熱媒体の温度を測定する温度検出器を有する。切替制御部は、制御装置が電力消費量の抑制を要求する電力調整要求を受けている場合であっても、温度検出器で検出された温度が所定範囲を外れる場合には、第２状態になるように切替手段を切り替える。
【００２３】
ここでは、電力使用量の抑制を要求する電力調整要求があった場合でも、蓄熱タンク内の熱媒体の温度が所定範囲を外れる場合には、蓄熱タンクに熱媒体が流れない。そのため、蓄熱タンク内の熱媒体の温度と、二次側機器側で必要とされる熱媒体の温度とが乖離しているような場合でも、二次側機器は直ちに必要な温度の熱媒体を得ることが容易で、応答性の高い設備機器が実現されやすい。
【００２４】
本発明の第９観点に係るデマンドレスポンスシステムは、第１観点から第８観点のいずれかに係るデマンドレスポンスシステムであって、制御装置は、コントローラと、アグリゲータと、を含む。コントローラは、複数の設備装置それぞれに設けられ、設備装置それぞれを制御する。アグリゲータは、複数のコントローラを統括して制御する。
【００２５】
ここでは、設備装置個別のコントローラと、設備装置を統括するアグリゲータと、のいずれかにより設備装置を制御することで、精度よくデマンドレスポンスを実現できる。
【発明の効果】
【００２６】
第１観点に係るデマンドレスポンスシステムでは、電力調整要求に基づいて、蓄熱タンクに熱媒体が流れる第１状態と、蓄熱タンクに熱媒体が流れない第２状態とが切り替えられる。そのため、本デマンドレスポンスシステムでは、蓄熱タンクの適切な利用を図ることが容易で、電力調整要求に応じて、精度よくデマンドレスポンスを実現することが可能である。
【００２７】
第２観点に係るデマンドレスポンスシステムでは、精度よくデマンドレスポンスを実現することが可能である。
【００２８】
第３観点に係るデマンドレスポンスシステムでは、電力使用量の促進を要求する電力調整要求を受けた時に、その電力調整要求に応じることが容易であり、精度よくデマンドレスポンスを実現することが可能である。
【００２９】
第４及び第５観点に係るデマンドレスポンスシステムでは、電力使用量の促進を要求する電力調整要求を受けた時に、蓄熱タンクに蓄熱することが容易である。
【００３０】
第６観点に係るデマンドレスポンスシステムでは、電力使用量の抑制を要求する電力調整要求を受けた時に、その電力調整要求に応じることが容易で、精度よくデマンドレスポンスを実現することが可能である。
【００３１】
第７観点に係るデマンドレスポンスシステムでは、二次側機器の起動時に、直ちに必要な熱を得ることができ、応答性の高い設備機器を実現できる。
【００３２】
第８観点に係るデマンドレスポンスシステムでは、二次側機器は直ちに必要な温度の熱媒体を得ることが容易で、応答性の高い設備機器が実現されやすい。
【００３３】
第９観点に係るデマンドレスポンスシステムでは、設備装置個別のコントローラと、設備装置を統括するアグリゲータと、のいずれかにより設備装置を制御することで、精度よくデマンドレスポンスを実現できる。
【図面の簡単な説明】
【００３４】
【図１】本発明の一実施形態に係るデマンドレスポンスシステムを含む電力ネットワークの概略図である。
【図２】図１における暖房装置の概略構成図である。
【図３】図１のデマンドレスポンスシステムのブロック図である。
【図４】図２の暖房装置の暖房負荷の一例である。ある暖房装置に対する１日の負荷の例が示されている。図４には、アグリゲータが管理装置から電力調整要求（電力使用量の促進を要求する電力調整要求及び電力使用量の抑制を要求する電力調整要求）を受けるタイミングについても示されている。
【図５】図４の負荷に対し、暖房装置が出力する暖房能力の例を示した図である。図５内の第１〜第７の符号は、二点破線で分割された各時間帯を識別するための符号である。
【図６】図２に係る暖房装置の、図５中の第１及び第３の時間帯における、冷媒回路内の冷媒の流れ、及び、水媒体回路内の水媒体の流れを示した図である。
【図７】図２に係る暖房装置の、図５中の第２及び第６の時間帯における、冷媒回路内の冷媒の流れ、及び、水媒体回路内の水媒体の流れを示した図である。
【図８】図２に係る暖房装置の、図５中の第４の時間帯における、冷媒回路内の冷媒の流れ、及び、水媒体回路内の水媒体の流れを示した図である。
【図９】図２に係る暖房装置の、図５中の第５及び第７の時間帯における、水媒体回路内の水媒体の流れを示した図である。
【発明を実施するための形態】
【００３５】
本発明の一実施形態にかかる、デマンドレスポンスシステム１００について、図面を参照して説明する。なお、下記の実施形態は、本発明の趣旨を逸脱しない範囲で適宜変更可能である。
【００３６】
（１）全体構成
デマンドレスポンスシステム１００を含む電力ネットワーク１の概略図を図１に示す。
【００３７】
電力ネットワーク１は、電力需要者としての複数の住宅３と、複数の住宅３に電力を供給する電力供給者としての電力会社２とを含む。ここでは、電力需要者として住宅３だけを示したが、電力需要者には、例えばビルや商業施設等が含まれていてもよい。また、ここでは、電力供給者として電力会社２だけを示したが、電力会社２は複数存在していてもよい。
【００３８】
デマンドレスポンスシステム１００は、複数の住宅３に設置された暖房装置２０と、複数の暖房装置２０の電力使用量の調整を行うアグリゲータ１０と、を備える。図１では、住宅３にそれぞれ１台しか暖房装置２０が設置されていないが、暖房装置２０は、住宅３に２台以上設置されていてもよい。アグリゲータ１０は、電力会社２からの電力調整要求（電力使用量の調整要求）を受け付け、受け付けた電力調整要求を実現するよう、後述する暖房装置２０のコントローラ２１に各種指令を送信する。暖房装置２０には、電力会社２から電力が供給されている。
【００３９】
電力会社２は、自ら発電した電力、及び／又は、他者が発電した電力を、複数の住宅３に供給する。住宅３に供給された電力は、暖房装置２０や、図示されていない各種機器に使用される。
【００４０】
電力会社２は、図１のように、管理装置２ａを有している。管理装置２ａは、図１のように、アグリゲータ１０と通信回線により接続されている。
【００４１】
管理装置２ａは、電力会社２の供給可能な電力供給量と、電力需要者の電力需要量等に基づいて、電力供給量と電力需要量とがバランスしているかの分析（どれだけ電力供給量が不足又は過剰かの定量的な分析を含む）を行う。電力供給量と電力需要量とがバランスしているか否かの分析には、将来の予想を含む。管理装置２ａは、分析結果に基づき、必要に応じてアグリゲータ１０に電力調整要求を送信する。言い換えれば、管理装置２ａは、分析結果に基づいて、電力供給量と電力需要量とをバランスさせるため、アグリゲータ１０に対し、電力使用量の抑制又は促進を要求する。管理装置２ａは、アグリゲータ１０に対して抑制又は促進を要求する電力調整要求を送信する際に、電力使用量の調整要求期間（いつ電力使用量を抑制又は促進するか）、電力使用量の目標調整量（電力使用量をどれだけ抑制又は促進するか）を併せて送信する。
【００４２】
アグリゲータ１０は、住宅３に設置されている複数の暖房装置２０のコントローラ２１を統括して制御する。アグリゲータ１０は、主に、管理装置２ａの電力調整要求に応じ、管理装置２ａから送信された電力使用量の調整要求期間に、暖房装置２０全体で、電力使用量が管理装置２ａから送信された電力使用量の目標調整量だけ調整されるように、暖房装置２０のコントローラ２１に各種制御指令を送信する。
【００４３】
暖房装置２０は、電力会社２から供給される電力により駆動されるヒートポンプを熱源として利用する暖房装置である。各暖房装置２０は、その暖房装置２０を制御するコントローラ２１を有する。各コントローラ２１は、アグリゲータ１０と協働して１の制御装置２００（図３参照）として機能する。制御装置２００は、電力会社２から電力調整要求を受け、電力調整要求に応じて暖房装置２０を制御する。
【００４４】
（２）詳細構成
以下に、暖房装置２０及びアグリゲータ１０について詳細に説明する。
【００４５】
（２−１）暖房装置
暖房装置２０は、主に室外機３０を熱源として暖房を行う装置である。本実施形態では、暖房装置２０は暖房のみを行うが、これに限定されるものではない。例えば、暖房装置２０は、室外機３０を熱源として冷房を行ってもよい。
【００４６】
暖房装置２０は、図２及び図３のように、室外機３０と、室内機５０と、暖房ユニット４０ａ，４０ｂと、コントローラ２１と、を有する。また、暖房装置２０は、室内機５０と暖房ユニット４０ａ，４０ｂとが水媒体連絡管で接続されて形成された水媒体回路８０を有する。水媒体回路８０は、蓄熱タンク６０と、三方弁６１ａ，６１ｂと、第２ポンプ６４と、を有する。
【００４７】
（２−１−１）室外機
室外機３０は、暖房装置２０の熱源機器の一例である。室外機３０は、電気により駆動されるヒートポンプであり、暖房装置２０の熱源として機能する。室外機３０は、通常、屋外に配置されている。室外機３０は、図２のように、ガス冷媒連絡管３６と、液冷媒連絡管３７とにより室内機５０の利用側熱交換器５１と接続され、冷媒回路３５の一部を構成している。
【００４８】
室外機３０は、図２のように、主として、圧縮機３１と、四路切替弁３４と、熱源側熱交換器３３と、膨張弁３２と、を有している。
【００４９】
圧縮機３１は、モータにより駆動される密閉式圧縮機である。圧縮機３１はインバータ制御される。圧縮機３１は吸入管３１ｂから低圧のガス冷媒を吸入し、圧縮機３１内の圧縮機構によりガス冷媒を圧縮し、吐出管３１ａに高圧のガス冷媒を吐出する。ここでは、ガス冷媒としてＲ−４１０Ａが使用される。ただし、冷媒の種類は例示であり、これに限定されるものではない。
【００５０】
四路切替弁３４は、冷媒回路３５内のガス冷媒の流れ方向を切り替えるための切替弁である。四路切替弁３４は、吐出管３１ａと、吸入管３１ｂと、熱源側熱交換器３３のガス側に接続された第２室外側ガス冷媒管３０ｄと、ガス冷媒連絡管３６に繋がる第１室外側ガス冷媒管３０ａと、接続されている。暖房運転時には、四路切替弁３４は、吐出管３１ａと第１室外側ガス冷媒管３０ａとを連通させ、吸入管３１ｂと第２室外側ガス冷媒管３０ｄとを連通させる。つまり、四路切替弁３４は、暖房運転時には、圧縮機３１から吐出されたガス冷媒がガス冷媒連絡管３６を介して利用側熱交換器５１に流入し、利用側熱交換器５１、液冷媒連絡管３７、膨張弁３２、及び熱源側熱交換器３３を通過したガス冷媒が圧縮機３１に吸入されるように、ガス冷媒の流れ方向を制御する。
【００５１】
熱源側熱交換器３３は、冷媒回路３５内を流れる冷媒と、空気（通常は室外空気）との熱交換を行う。暖房運転時には、熱源側熱交換器３３は、冷媒回路３５を流れる冷媒の蒸発器として機能する。熱源側熱交換器３３の液側には、第２室外側液冷媒管３０ｃが接続されており、熱源側熱交換器３３のガス側には、第２室外側ガス冷媒管３０ｄが接続されている。
【００５２】
膨張弁３２は、冷媒を減圧するための膨張機構であり、開度調整が可能な電動弁である。膨張弁３２は、図２のように、一端が第２室外側液冷媒管３０ｃと接続され、他端が液冷媒連絡管３７と繋がる第１室外側液冷媒管３０ｂと接続されている。
【００５３】
（２−１−２）室内機
室内機５０は、屋内に配置されている。室内機５０は、図２のように、ガス冷媒連絡管３６と、液冷媒連絡管３７とを介して室外機３０に接続され、冷媒回路３５の一部を構成している。また、室内機５０は、図２のように、水媒体連絡管８１a，８１ｂ，８２ａ，８２ｂを介して、暖房ユニット４０ａ，４０ｂに接続されており、水媒体回路８０の一部を構成している。
【００５４】
室内機５０は、図２のように、主として、利用側熱交換器５１と、電気ヒータ５２と、第１ポンプ５３とを有している。
【００５５】
利用側熱交換器５１は、図２のように、冷媒回路３５内を流れる冷媒と、水媒体回路８０を流れる水媒体との熱交換を行う熱交換器である。暖房運転時には、利用側熱交換器５１は、冷媒回路３５を流れる冷媒の凝縮器として機能し、室外機３０の熱を利用して水媒体回路８０を流れる水媒体を加熱する。
【００５６】
利用側熱交換器５１には、冷媒回路３５内の冷媒が流れる流路の液側に、液冷媒連絡管３７と繋がる室内側液冷媒管５０ｂが接続されており、冷媒回路３５内の冷媒が流れる流路のガス側に、ガス冷媒連絡管３６と繋がる室内側ガス冷媒管５０ａが接続されている。また、利用側熱交換器５１には、水媒体が流れる流路の入口側に、水媒体連絡管８２ａと繋がる第２水媒体連絡管５０ｄが接続されており、水媒体が流れる流路の出口側に、水媒体連絡管８１ａと繋がる第１水媒体連絡管５０ｃに接続されている。
【００５７】
電気ヒータ５２は、室内機５０から水媒体連絡管８１ａに送水される水媒体を加熱するための電気ヒータである。電気ヒータ５２は、利用側熱交換器５１と水媒体連絡管８１ａとを接続する第１水媒体連絡管５０ｃに設けられている。
【００５８】
電気ヒータ５２は、例えば、室外機３０を利用して供給可能な水媒体の温度が、暖房ユニット４０ａ，４０ｂで必要とされる水媒体の温度に満たない場合に、室外機３０と共に使用される。また、例えば、室外の気温が非常に低い場合に、ヒートポンプを熱源として暖房運転を行うと熱源側熱交換器３３がすぐに凍結してしまうため、電気ヒータ５２が、室外機３０の代わりに、暖房ユニット４０ａ，４０ｂの熱源として利用される。
【００５９】
第１ポンプ５３は、モータにより駆動される遠心式や容積式などのポンプである。第１ポンプ５３は、第１水媒体連絡管５０ｃの、電気ヒータ５２より下流側に設けられている。第１ポンプ５３は、水媒体を昇圧し、水媒体を水媒体回路８０内で循環させる。具体的には、利用側熱交換器５１、及び／又は、電気ヒータ５２で加熱された水媒体は、第１ポンプ５３により昇圧され、水媒体連絡管８１ａに送られる。室外機３０から水媒体連絡管８１ａに送られ、蓄熱タンク６０又は暖房ユニット４０ａ，４０ｂを経た水媒体は、水媒体連絡管８２ａを通って、利用側熱交換器５１に戻る。
【００６０】
（２−１−３）暖房ユニット
暖房ユニット４０ａ，４０ｂは、室外機３０の熱を利用する二次側機器の一例である。暖房ユニット４０ａ，４０ｂは、ファンコイルユニットである。
【００６１】
暖房ユニット４０ａは、図２のように、水媒体連絡管４４ａ，４５ａを介して水媒体連絡管８１ｂ及び８２ｂに接続され、水媒体回路８０の一部を構成している。また、暖房ユニット４０ｂは、図２のように、水媒体連絡管４４ｂ，４５ｂを介して水媒体連絡管８１ｂ及び８２ｂに接続され、水媒体回路８０の一部を構成している。
【００６２】
暖房ユニット４０ａは、例えば、住宅３のリビングルームに設置されている。暖房ユニット４０ｂは、例えば、住宅３の寝室に設置されている。暖房ユニット４０ａは、室内機５０又は蓄熱タンク６０から、水媒体連絡管８１ｂ，４４ａを介して供給される水媒体を使用して室内（リビングルーム）を暖房する。暖房ユニット４０ｂは、室内機５０又は蓄熱タンク６０から、水媒体連絡管８１ｂ，４４ｂを介して供給される水媒体を使用して室内（寝室）を暖房する。
【００６３】
各暖房ユニット４０ａ，４０ｂは、図２のように、主として、熱交換器４１ａ，４１ｂと、ファン４２ａ，４２ｂと、電動弁４３ａ，４３ｂと、をそれぞれ有する。熱交換器４１ａ，４１ｂ、ファン４２ａ，４２ｂ、及び電動弁４３ａ，４３ｂは、図示しないケーシング内に収納されている。暖房ユニット４０ａ，４０ｂの稼動及び停止は、後述するコントローラ２１により制御される。暖房ユニット４０ａ，４０ｂは、２台を同時に稼動させることも、いずれか１台だけを稼動させることも、両方可能である。
【００６４】
熱交換器４１ａ，４１ｂは、水媒体回路８０を循環する水媒体と室内空気との熱交換を行うことで、室内空気の加熱器として機能する。熱交換器４１ａは、水媒体連絡管４４ａにより水媒体連絡管８１ｂと接続され、水媒体連絡管４５ａにより水媒体連絡管８２ｂと接続される。熱交換器４１ｂは、水媒体連絡管４４ｂにより水媒体連絡管８１ｂと接続され、水媒体連絡管４５ｂにより水媒体連絡管８２ｂと接続される。なお、水媒体連絡管４４ａ，４５ａには、水媒体連絡管８１ｂから熱交換器４１ａ，４１ｂへの水媒体の流れを制御する電動弁４３ａ，４３ｂがそれぞれ設けられている。
【００６５】
ファン４２ａ，４２ｂは、熱交換器４１ａ，４１ｂにおける、水媒体回路８０を循環する水媒体と室内空気との熱交換を促進するためのファンである。ファン４２ａ，４２ｂは、暖房ユニット４０ａ，４０ｂのケーシング内に室内空気を取り込み、熱交換器４１ａ，４１ｂに供給する。熱交換器４１ａ，４１ｂにより加熱又は冷却された室内空気は、ファン４２ａ，４２ｂにより、ケーシング外（室内）へと吹き出す。ファン４２ａは、暖房ユニット４０ａが稼働中のみ運転され、ファン４２ｂは、暖房ユニット４０ｂが稼働中のみ運転される。
【００６６】
電動弁４３ａ，４３ｂは、熱交換器４１ａ，４１ｂへの水媒体の流入を制御する。電動弁４３ａ，４３ｂは、後述するコントローラ２１によりその開閉及び開度が制御される。電動弁４３ａは、暖房ユニット４０ａが稼働中には熱交換器４１ａに水媒体が供給されるよう開かれ、暖房ユニット４０ａが停止中には熱交換器４１ａに水媒体が供給されないよう閉じられる。電動弁４３ｂは、暖房ユニット４０ｂが稼働中には熱交換器４１ｂに水媒体が供給されるよう開かれ、暖房ユニット４０ｂが停止中には熱交換器４１ｂに水媒体が供給されないよう閉じられる。
【００６７】
なお、ここでは、暖房装置２０は、２つの暖房ユニット４０ａ，４０ｂを有するが、これに限定されるものではない。暖房装置２０は、暖房ユニットを１つだけ有するものであってもよく、暖房ユニットを３つ以上有するものであってもよい。
【００６８】
（２−１−４）水媒体回路
水媒体回路８０は、循環路の一例である。水媒体回路８０は、室内機５０と、暖房ユニット４０ａ，４０ｂとが、水媒体連絡管により接続されて構成される。水媒体回路８０は、室外機３０の熱を暖房ユニット４０ａ，４０ｂに搬送するための水媒体を、その内部で循環させる。なお、ここでは熱媒体として水媒体が用いられているが、これに限定されるものではなく、水以外の物質が熱媒体として用いられてもよい。
【００６９】
水媒体回路８０は、蓄熱タンク６０と、三方弁６１ａ，６１ｂと、第２ポンプ６４と、を有する。蓄熱タンク６０には、蓄熱タンク６０内の水媒体の温度を測定するための蓄熱タンク温度センサ６０ａが設けられている。
【００７０】
蓄熱タンク６０は、水媒体を蓄えるタンクである。蓄熱タンク６０は、水媒体連絡管６２ａにより、三方弁６１ａと接続されている。蓄熱タンク６０は、水媒体連絡管６３ａにより、水媒体連絡管８１ｂと接続されている。蓄熱タンク６０は、水媒体連絡管６２ｂにより、三方弁６１ｂと接続されている。蓄熱タンク６０は、水媒体連絡管６３ｂにより、水媒体連絡管８２ｂと接続されている。
【００７１】
暖房装置２０では、蓄熱タンク６０に高温の水媒体を蓄えることで蓄熱することが可能である。そして、蓄熱タンク６０内の水媒体を暖房ユニット４０ａ，４０ｂの熱源として利用し、熱源機器としての室外機３０等を停止することで、必要な場合に、暖房装置２０の電力使用量を抑制することが可能である。また、蓄熱タンク６０に蓄熱しておくことで、暖房ユニット４０ａ，４０ｂの起動時に、直ちに室内に温風を供給することが容易である。
【００７２】
三方弁６１ａ，６１ｂは、切替手段の一例である。三方弁６１ａ，６１ｂは、電動三方
弁である。三方弁６１ａは、水媒体連絡管８１ａ，８１ｂ，６２ａと接続されている。三方弁６１ｂは、水媒体連絡管８２ａ，８２ｂ，６２ｂと接続されている。
【００７３】
三方弁６１ａ，６１ｂは、水媒体回路８０内の流体の流れを制御し、室内機５０と蓄熱タンク６０との間で水媒体を循環させる状態と、室内機５０と暖房ユニット４０ａ，４０ｂとの間で水媒体を循環させる状態とを切り替える。言い換えれば、水媒体回路８０は、室内機５０から蓄熱タンク６０に水媒体が流れる第１状態と、室内機５０から蓄熱タンク６０に水媒体が流れない（室内機５０から暖房ユニット４０ａ，４０ｂに水媒体が流れる）第２状態と、を切り替える。第１状態では、図２に実線で示したように、三方弁６１ａは、水媒体連絡管８１ａと水媒体連絡管６２ａとを接続し、三方弁６１ｂは、水媒体連絡管６２ｂと水媒体連絡管８２ａとを接続する。第２状態では、図２に破線で示したように、三方弁６１ａは、水媒体連絡管８１ａと水媒体連絡管８１ｂとを接続し、三方弁６１ｂは、水媒体連絡管８２ａと水媒体連絡管８２ｂとを接続する。
【００７４】
第２ポンプ６４は、モータにより駆動される遠心式や容積式などのポンプである。第２ポンプ６４は、水媒体連絡管８１ｂに設けられている。第２ポンプ６４は、水媒体回路８０内で水媒体を循環させる。具体的には、第２ポンプ６４は、蓄熱タンク６０内の水媒体を、水媒体連絡管６３ａ、水媒体連絡管８１ｂ、水媒体連絡管４４ａ，４４ｂを介して、暖房ユニット４０ａ，４０ｂの熱交換器４１ａ，４１ｂに水媒体を供給する。熱交換器４１ａ，４１ｂを通過した水媒体は、水媒体連絡管４５ａ，４５ｂ，水媒体連絡管８２ｂ、水媒体連絡管６３ｂを介して、蓄熱タンク６０に戻る。
【００７５】
第２ポンプ６４は、切替手段の一例である。第２ポンプ６４は、後述するコントローラ２１によりその稼動／停止が制御されることで、蓄熱タンク６０に水媒体が流れる状態と、蓄熱タンク６０に水媒体が流れない状態とを切り替える。具体的には、第２ポンプ６４は、その稼動／停止が制御されることで、蓄熱タンク６０と暖房ユニット４０ａ，４０ｂとの間で水媒体を循環させる第３状態と、蓄熱タンク６０と暖房ユニット４０ａ，４０ｂとの間で水媒体を循環させない第４状態とを切り替える。
【００７６】
（２−１−５）コントローラ
コントローラ２１は、暖房装置２０それぞれに設けられ、暖房装置２０それぞれを制御する。コントローラ２１は、後述するアグリゲータ１０と協働することで、制御装置２００として機能する（図３参照）。つまり、制御装置２００は、コントローラ２１及びアグリゲータ１０を含む。制御装置２００は、上位側の管理装置２ａから電力調整要求を受け、電力調整要求に応じて暖房装置２０を制御する。
【００７７】
制御装置２００の一部としてのコントローラ２１は、図３のように、主に、送受信部２２と、制御部２３とを有する。
【００７８】
（２−１−５−１）送受信部
送受信部２２は、後述するアグリゲータ１０の送受信部１１と通信回線により接続されている。送受信部２２は、後述するように、アグリゲータ１０の送受信部１１から制御指令を受信する。また、送受信部２２は、アグリゲータ１０の送受信部１１に各種情報を送信する。例えば、送受信部２２は、送受信部１１に、暖房装置２０の電力使用量を送信する。
【００７９】
（２−１−５−２）制御部
制御部２３は、主にＣＰＵからなり、ＲＡＭ、ＲＯＭ、及びハードディスク等からなるメモリ（図示せず）に記憶されたプログラムを実行することで各種処理を実行する。制御部２３は、図３のように、暖房装置２０の各構成、例えば、三方弁６１ａ，６１ｂ、圧縮機３１、膨張弁３２、第１ポンプ５３、電気ヒータ５２、第２ポンプ６４、ファン４２ａ，４２ｂ、電動弁４３ａ，４３ｂ、及び蓄熱タンク温度センサ６０ａと、接続されている。
【００８０】
制御部２３は、図３のように、主な機能部として、三方弁制御部２３ａ、室外機制御部２３ｂ、室内機制御部２３ｃ、第２ポンプ制御部２３ｄ、暖房ユニット制御部２３ｅを有する。
【００８１】
（２−１−５−２−１）三方弁制御部
三方弁制御部２３ａは、切替制御部の一例である。三方弁制御部２３ａは、切替手段の一例である三方弁６１ａ，６１ｂを制御することで、室内機５０から蓄熱タンク６０に水媒体が流れる第１状態と、室内機５０から蓄熱タンク６０に水媒体が流れない第２状態と、を切り替える。三方弁制御部２３ａは、暖房装置２０の運転状態に応じて、又は、後述するアグリゲータからの制御指令に応じて、三方弁６１ａ，６１ｂを制御する。三方弁制御部２３ａが、管理装置２ａの電力調整要求と関連して、どのような場合に第１状態と、第２状態との切り替えを実行するかについては、後述する。
【００８２】
（２−１−５−２−２）室外機制御部
室外機制御部２３ｂは、室外機３０の稼動／停止を制御する熱源機器制御部の一例である。室外機制御部２３ｂは、暖房装置２０の運転状態に応じて、又は、後述するアグリゲータ１０からの制御指令に応じて、室外機３０の稼動／停止を制御する。室外機制御部２３ｂが、管理装置２ａの電力調整要求と関連して、どのような場合に稼動／停止を制御するかについては後述する。
【００８３】
また、室外機制御部２３ｂは、暖房運転中に、各種運転条件（例えば、図示しないリモコンにより入力される設定温度や、現在の室温等）に基づいて、例えば、圧縮機３１のモータの回転数や、膨張弁３２の開度等を制御する。
【００８４】
（２−１−５−２−３）室内機制御部
室内機制御部２３ｃは、室内機５０の稼動／停止を制御する。室外機制御部２３ｂは、暖房装置２０の運転状態に応じて、又は、後述するアグリゲータ１０からの制御指令に応じて、室内機５０の稼動／停止を制御する。室内機制御部２３ｃが、管理装置２ａの電力調整要求と関連して、どのような場合に稼動／停止を制御するかについては後述する。
【００８５】
また、室内機制御部２３ｃは、暖房運転中に、各種運転条件に基づいて、例えば、第１ポンプ５３のモータの回転数や、電気ヒータ５２のＯｎ／Ｏｆｆを制御する。
【００８６】
（２−１−５−２−４）第２ポンプ制御部
第２ポンプ制御部２３ｄは、切替制御部の一例である。第２ポンプ制御部２３ｄは、切替手段の一例である第２ポンプ６４の稼動／停止を制御することで、暖房ユニット４０ａ，４０ｂから蓄熱タンク６０に水媒体が流れる第３状態と、暖房ユニット４０ａ，４０ｂから蓄熱タンク６０に水媒体が流れない第４状態と、を切り替える。第２ポンプ制御部２３ｄは、暖房装置２０の運転状態に応じて、又は、後述するアグリゲータ１０からの制御指令により、第２ポンプ６４の稼動／停止を制御する。第２ポンプ制御部２３ｄが、管理装置２ａの電力調整要求と関連して、どのような場合に第３状態と、第４状態との切り替えを実行するかについては、後述する。
【００８７】
（２−１−５−２−５）暖房ユニット制御部
暖房ユニット制御部２３ｅは、二次側機器制御部の一例である。暖房ユニット制御部２３ｅは、二次側機器の一例である暖房ユニット４０ａ，４０ｂの稼動／停止を制御する。暖房ユニット制御部２３ｅは、図示しないリモコンに入力される暖房ユニット４０ａ，４０ｂの運転／停止指令に応じて、又は、後述するアグリゲータ１０からの制御指令に応じて、暖房ユニット４０ａ，４０ｂの稼動／停止を制御する。なお、一方の暖房ユニット４０ａ，４０ｂの稼動／停止は、他方の暖房ユニット４０ｂ，４０ａとは独立して制御される。暖房ユニット制御部２３ｅが、管理装置２ａの電力調整要求と関連して、どのような場合に各暖房ユニット４０ａ，４０ｂを制御するかについては後述する。
【００８８】
また、暖房ユニット制御部２３ｅは、暖房運転中に、各種運転条件に基づいて、電動弁４３ａ，４３ｂの開度等を制御する。
【００８９】
（２−２）アグリゲータ
アグリゲータ１０は、複数の暖房装置２０がそれぞれ有するコントローラ２１を統括して制御する。アグリゲータ１０は、制御装置２００に含まれる。
【００９０】
制御装置２００の一部としてのアグリゲータ１０は、管理装置２ａから電力調整要求を受け付け、電力調整要求の内容を実現できるように、制御対象である各暖房装置２０の運転内容を決定し、その実行を各コントローラ２１に指示する。また、制御装置２００の一部としてのアグリゲータ１０は、後述する判断部１２ａの判断に基づいて、制御対象である各暖房装置２０の運転内容を決定し、その実行を各コントローラ２１に指示する。
【００９１】
アグリゲータ１０は、図３に示すように、主に、送受信部１１と、制御部１２と、記憶部１３と、を有する。
【００９２】
（２−２−１）送受信部
送受信部１１は、図１のように、上位側の管理装置２ａと通信回線により接続されている。また、送受信部１１は、図１のように、下位側の暖房装置２０のコントローラ２１と通信回線により接続されている。また、送受信部１１は、例えば、図示しない各種装置（例えば、気象情報の配信サーバ）と通信回線により接続されている。送受信部１１は、通信回線により接続された、管理装置２ａ、コントローラ２１及び各種装置と、各種情報の授受を行う。
【００９３】
具体的には、送受信部１１は、例えば、管理装置２ａから、電力調整要求を、電力使用量の調整要求期間及び電力使用量の目標調整量と共に受信する。送受信部１１は、例えば、コントローラ２１から送信された、各暖房装置２０の電力使用量に関する情報を受信する。送受信部１１は、例えば、気象情報の配信サーバから送信された気象情報を受信する。また、送受信部１１は、各暖房装置２０の電力使用量の合計値を、管理装置２ａに対して送信する。送受信部１１は、例えば、後述する判断部１２ａの生成した制御指令を、各コントローラ２１に送信する。
【００９４】
（２−２−２）制御部
制御部１２は、主にＣＰＵからなり、後述する記憶部１３に記憶されたプログラムを実行することで各種処理を実行する。例えば、制御部１２は、送受信部１１が受信した情報を基に、各種演算を行う。また、制御部１２は、送受信部１１が受信した情報や制御部１２の各種演算の結果等を記憶部１３に書き込み、必要に応じて記憶部１３から情報を読み出す。
【００９５】
具体的には、制御部１２は、送受信部１１が受信した各暖房装置２０の電気使用量を合計し、これを記憶部１３に書き込む。その結果、記憶部１３には、暖房装置２０の電気使用量の合計が、時系列データとして記憶される。また、制御部１２は、定期的に、又は、管理装置２ａの求めに応じ、暖房装置２０の電気使用量の合計を記憶部１３から読み出し、管理装置２ａに報告する。
【００９６】
また例えば、制御部１２は、送受信部１１が受け付けた電力調整要求や、後述する制御部１２の機能部としての判断部１２ａの判断結果に基づいて、暖房装置２０に対する各種制御指令を生成し、送受信部１１を介して、コントローラ２１に送信する。制御部１２が、アグリゲータ１０が受け付けた電力調整要求や、判断部１２ａの判断結果に基づいて、コントローラ２１にどのような内容の制御指令を送信するかについては後述する。
【００９７】
（２−２−２―１）判断部
判断部１２ａは、アグリゲータ１０が管理装置２ａから電力調整要求を受ける可能性があるか否かを判断する。また、判断部１２ａは、アグリゲータ１０が管理装置２ａから受ける可能性のある電力調整要求の内容についても判断する。電力調整要求の内容は、例えば、電力調整要求の内容が、電力調整要求が電力使用量の抑制／促進のいずれを要求するものであるかである。また、電力調整要求の内容には、例えば、電力調整要求と共に送信されてくる電力使用量の調整要求期間を含む。また、電力調整要求の内容には、例えば、電力調整要求と共に送信されてくる電力使用量の目標調整量を含んでもよい。
【００９８】
判断部１２ａは、例えば、記憶部１３に記憶された各種情報や、送受信部１１が受信した各種情報に基づいて、ある期間に（例えば、現在から５時間以内に）、アグリゲータ１０が管理装置２ａから電力調整要求を受ける可能性があるか否かを判断する。
【００９９】
なお、記憶部１３に記憶された各種情報とは、例えば、過去にアグリゲータ１０が管理装置２ａから電力調整要求を受けた日時、受けた電力調整要求の内容、暖房装置２０の電力使用量の時系列データ、及び過去の気象情報等である。また、送受信部１１が受信した各種情報は、例えば、現在の暖房装置２０の電力使用量、現在の気象情報、及び将来の気象情報等である。そして、判断部１２ａは、例えば、現在の暖房装置２０の電力使用量や、現在及び将来の気象情報等を、過去に電力調整要求を受けた時のものと比較することで、電力調整要求を受ける可能性の有無等の判断を行う。
【０１００】
ただし、ここで示した判断方法は例示であり、これに限定されるものではない。例えば、上記の情報以外の情報が、判断に用いられてもよい。また、例えば、判断部１２ａは、管理装置２ａから電力調整要求の送信前に事前に送信されることになっている電力調整要求の予告を送受信部１１が受け付けたか否かに基づいて、電力調整要求を受ける可能性の有無等を判断してもよい。また、例えば、判断部１２ａは、記憶部１３に記憶された電力会社２との契約内容を呼び出し、契約内容で予め定められた電力調整要求の日時等を参照することで、電力調整要求を受ける可能性の有無等の判断を行ってもよい。
【０１０１】
（２−２−３）記憶部
記憶部１３は、主に、ＲＡＭ、ＲＯＭ、及びハードディスク等からなる。記憶部１３には、制御部１２により使用される各種プログラムや、各種情報が記憶される。
【０１０２】
記憶部１３には、例えば、過去にアグリゲータ１０が管理装置２ａから電力調整要求を受けた日時、受け付けた電力調整要求の内容、暖房装置２０の電力使用量の時系列データ、及び過去の気象情報等が記憶されている。
【０１０３】
（３）暖房装置の動作
以下に、暖房装置２０の動作、特に、電力調整要求と関連した暖房装置２０の動作について、具体例を挙げて説明する。言い換えれば、以下では、制御装置２００（アグリゲータ１０及びコントローラ２１）による暖房装置２０の制御、特には、電力調整要求と関連して行われる制御装置２００による暖房装置２０の制御について説明される。
【０１０４】
ここでは、１日の中で、時間帯別に、図４に示すような暖房負荷があるという条件を前提として、時間帯別に暖房装置２０の動作（制御装置２００による制御内容）を説明する。
【０１０５】
初めに、前提となる、図４に示した暖房負荷に関して説明する。図４は、例えば、共働き家庭における暖房負荷を示している。住人の就寝後、深夜から早朝（図４では２３時〜６時）の暖房負荷は０となる。起床後、家を出るまでの時間帯（図４では７時〜８時）には、深夜から早朝に暖房が使用されず室温が低下しているため、比較的大きな暖房負荷が必要となる。その後、住人が出勤して帰宅するまでの時間帯（図４では９時〜１５時）には、再び暖房負荷が０となる。住人が帰宅する夕方（図４では１６時〜１８時頃）には、昼間に暖房が使用されず室温が低下しているため、比較的大きな暖房負荷が必要となる。その後、住人が就寝するまでの時間帯（図４では２２時まで）には、暖房が利用されるが、暖房負荷は時間が遅くなるにつれ次第に減少する。
【０１０６】
なお、ここでは、管理装置２ａは、電力需要量が少なくなる深夜（図４では１時〜３時）に、アグリゲータ１０に対し、電力使用量の促進を要求する。また、管理装置２ａは、電力需要量が多くなる夕方（図４では１７時〜１８時）に、アグリゲータ１０に対し、電力使用量の抑制を要求する。
【０１０７】
図４の暖房負荷に対する、暖房装置２０の動作について以下に説明する。
【０１０８】
まず、図４の暖房負荷に対し、暖房装置２０は、時間帯別に図５のような暖房能力を出力する。時間帯により、暖房装置２０の動作が異なるので、図５のように、第１〜第７の時間帯に分けて、暖房装置２０の動作を説明する。
【０１０９】
まず、各時間帯の暖房装置２０の動際について説明する前に、電力調整要求と暖房装置２０の動作との基本的な関係について説明する。
【０１１０】
暖房装置２０は、アグリゲータ１０が管理装置２ａから電力調整要求を受けている場合には、原則として、蓄熱タンク６０に水媒体が流れるように動作する。つまり、制御装置２００は、管理装置２ａから受け付けた電力使用量の調整要求期間には、原則として、蓄熱タンク６０に水媒体が流れるように、暖房装置２０を動作させる。
【０１１１】
具体的には、アグリゲータ１０の制御部１２は、アグリゲータ１０が電力使用量の促進を要求する電力調整要求を受けている場合、室内機５０から蓄熱タンク６０に水媒体が流れる第１状態が実現されるように、コントローラ２１に対する制御指令を生成する。つまり、アグリゲータ１０が電力使用量の促進を要求する電力調整要求を受けている場合に、制御部１２により生成される制御指令は、三方弁６１ａが水媒体連絡管８１ａと水媒体連絡管６２ａとを接続し、三方弁６１ｂが水媒体連絡管６２ｂと水媒体連絡管８２ａとを接続するように、三方弁制御部２３ａに三方弁６１ａ，６１ｂの操作を命じるものである。また、アグリゲータ１０が電力使用量の促進を要求する電力調整要求を受けている場合、制御部１２は、室外機制御部２３ｂに室外機３０の稼動を命じる制御指令を生成する。この様に暖房装置２０が制御されることで、室外機３０の熱を蓄熱タンク６０に蓄えることができ、暖房装置２０の電力使用量を増加させることが可能となる。
【０１１２】
また、アグリゲータ１０の制御部１２は、アグリゲータ１０が電力使用量の抑制を要求する電力調整要求を受けている場合、暖房ユニット４０ａ，４０ｂから蓄熱タンク６０に水媒体が流れる第３状態が実現されるように、コントローラ２１に対する制御指令を生成する。つまり、アグリゲータ１０が電力使用量の抑制を要求する電力調整要求を受けている場合に、制御部１２により生成される制御指令は、第２ポンプ制御部２３ｄに第２ポンプ６４の稼動を命じるものである。また、アグリゲータ１０が電力使用量の抑制を要求する電力調整要求を受けている場合、制御部１２は、室外機制御部２３ｂに室外機３０の停止を命じる制御指令を生成する。この様に暖房装置２０が制御されることで、蓄熱タンク６０に蓄えられた熱を利用して暖房ユニット４０ａ，４０ｂを稼動させることができ、暖房装置２０の電力使用量を抑制することが可能となる。
【０１１３】
一方、暖房装置２０は、アグリゲータ１０が管理装置２ａから電力調整要求を受けていない場合、原則として、蓄熱タンク６０に水媒体が流れないように動作する。つまり、制御装置２００は、管理装置２ａから受け付けた電力使用量の調整要求期間以外には、原則として、蓄熱タンク６０に水媒体が流れないように、暖房装置２０を動作させる。
【０１１４】
具体的には、制御部１２は、アグリゲータ１０が管理装置２ａから電力調整要求を受けていない場合、室内機５０から蓄熱タンク６０に水媒体が流れない第２状態が実現されるように、コントローラ２１に対する制御指令を生成する。また、制御部１２は、アグリゲータ１０が管理装置２ａから電力調整要求を受けていない場合、暖房ユニット４０ａ，４０ｂから蓄熱タンク６０に水媒体が流れない第４状態が実現されるように、コントローラ２１に対する制御指令を生成する。つまり、アグリゲータ１０が管理装置２ａから電力調整要求を受けていない場合に、制御部１２により生成される制御指令は、三方弁６１ａが水媒体連絡管８１ａと水媒体連絡管８１ｂとを接続し、三方弁６１ａが水媒体連絡管８２ａと水媒体連絡管８２ｂとを接続するように、三方弁制御部２３ａに三方弁６１ａ，６２ａの操作を命じるものである。また、アグリゲータ１０が管理装置２ａから電力調整要求を受けていない場合に、制御部１２により生成される制御指令は、第２ポンプ制御部２３ｄに第２ポンプ６４の停止を命じるものである。この様に暖房装置２０が制御されることで、蓄熱タンク６０内の水媒体を加熱する必要が無くなり、電力使用量を削減しやすい。また、この様に暖房装置２０が制御されることで、蓄熱タンク６０内の水媒体を加熱する必要が無くなるので、暖房ユニット４０ａ，４０ｂの起動時の応答性（どれだけ早く暖房ユニット４０ａ，４０ｂから温風が吹き出し始めるかという特性）が向上する。
【０１１５】
次に、図５に示した第１〜第７の時間帯における暖房装置２０の運転について、個別に説明する。
【０１１６】
（３−１）第１の時間帯
図５に示した第１の時間帯は、深夜１時〜３時である。図４に示したように、第１の時間帯は、アグリゲータ１０が、管理装置２ａから電力使用量の促進を受けている時間帯である。第１の時間帯には、図示しないリモコンに、暖房ユニット４０ａ，４０ｂの運転指令は入力されていない。この時、アグリゲータ１０の制御部１２は、第１の時間帯に、暖房装置２０が以下の動作を行うような制御指令を生成し、コントローラ２１に送信する。
【０１１７】
暖房装置２０では、室外機３０が稼動し、図６のように、冷媒回路３５内で冷媒が循環させる。室外機３０の圧縮機３１のモータは、制御指令に基づき、アグリゲータ１０が統括している暖房装置２０の電力調整量の合計が、管理装置２ａがアグリゲータ１０に送信した電力使用量の目標調整量と一致するような回転数で運転される。暖房装置２０は、図６のように、室内機５０から蓄熱タンク６０に水媒体が流れる第１状態にある。暖房装置２０では、室内機５０が稼動し、図６のように、室内機５０と蓄熱タンク６０との間を水媒体が循環する。暖房装置２０では、第２ポンプ６４及び暖房ユニット４０ａ，４０ｂは停止している。
【０１１８】
言い換えれば、第１の時間帯には、室外機制御部２３ｂは、室外機３０を稼動させる。三方弁制御部２３ａは、三方弁６１ａが水媒体連絡管８１ａと水媒体連絡管６２ａとを接続し、三方弁６１ｂが水媒体連絡管６２ｂと水媒体連絡管８２ａとを接続するように、三方弁６１ａ，６１ｂを操作する。室内機制御部２３ｃは、室内機５０を稼動させている。第２ポンプ制御部２３ｄは、第２ポンプ６４を停止させている。暖房ユニット制御部２３ｅは、暖房ユニット４０ａ，４０ｂを停止させている。
【０１１９】
この様に、暖房装置２０が動作することで、暖房ユニット４０ａ，４０ｂの停止中であっても、暖房装置２０の電力使用量を増加させ、電力調整要求に応じることが可能である。
【０１２０】
（３−２）第２の時間帯
図５に示した第２の時間帯は、７時〜８時である。図４に示したように、第２の時間帯には、アグリゲータ１０は管理装置２ａから電力調整要求を受けていない。第２の時間帯には、図示しないリモコンに、暖房ユニット４０ａの運転指令が入力されている。この時、アグリゲータ１０の制御部１２は、第２の時間帯に、暖房装置２０が以下の動作を行うような制御指令を生成し、コントローラ２１に送信する。
【０１２１】
暖房装置２０では、室外機３０が稼動し、図７のように、冷媒回路３５内で冷媒を循環させる。暖房装置２０は、図７のように、室内機５０から蓄熱タンク６０に水媒体が流れない第２状態にある。暖房装置２０では、室内機５０が稼動し、図７のように、室内機５０と暖房ユニット４０ａとの間を水媒体が循環する。暖房装置２０では、第２ポンプ６４は停止している。暖房装置２０では、暖房ユニット４０ａは稼動し、暖房ユニット４０ｂは停止している。
【０１２２】
言い換えれば、第２の時間帯には、室外機制御部２３ｂは、室外機３０を稼動させる。室外機３０の圧縮機３１のモータの回転数は、室外機制御部２３ｂにより、運転条件等に応じて決定されている。三方弁制御部２３ａは、三方弁６１ａが水媒体連絡管８１ａと水媒体連絡管８１ｂとを接続し、三方弁６１ａが水媒体連絡管８２ａと水媒体連絡管８２ｂとを接続するように、三方弁６１ａ，６２ａを操作する。室内機制御部２３ｃは、室内機５０を稼動させている。第２ポンプ制御部２３ｄは、第２ポンプ６４を停止させている。暖房ユニット制御部２３ｅは、暖房ユニット４０ａは稼動させ、暖房ユニット４０ｂは停止させている。
【０１２３】
この様に暖房装置２０が動作することで、蓄熱タンク６０内の水媒体を加熱する必要がなくなり、暖房ユニット４０ａ，４０ｂの起動時の応答性が向上する。
【０１２４】
（３−３）第３の時間帯
図５に示した第３の時間帯は、１３時〜１５時である。図４に示したように、第３の時間帯には、アグリゲータ１０は管理装置２ａから電力調整要求を受けていない。しかし、アグリゲータ１０の判断部１２ａは、ある時間帯に（具体的には１７時〜１８時）に、電力使用量の抑制を要求する電力調整要求を受ける可能性があると判断している。第３の時間帯には、図示しないリモコンに、暖房ユニット４０ａの運転指令が入力されていない。そのため、暖房ユニット４０ａ，４０ｂは停止している。この時、アグリゲータ１０の制御部１２は、第１の時間帯と同様の制御指令を生成し、コントローラ２１に送信する。ただし、室外機３０の圧縮機３１のモータの回転数は、電力使用量の目標調整量に応じて決められるのではなく、蓄熱タンク６０に蓄熱する上で最適な所定の回転数に設定される。
【０１２５】
つまり、第３の時間帯には、アグリゲータ１０は電力調整要求を受けていないが、三方弁制御部２３ａは、室内機５０から蓄熱タンク６０に水媒体が流れる第１状態に切り替えるよう、三方弁６１ａ，６１ｂを制御している。また、第３の時間帯には、室外機制御部２３ｂが、室外機３０が稼動させる。そのため、第３の時間帯には、電力使用量の抑制を要求する電力調整要求に備えて、蓄熱タンク６０の蓄熱量を増加させることができる。その結果、アグリゲータ１０が電力使用量の抑制を要求する電力調整要求を受けた時に、電力調整要求に応じることが容易になる。
【０１２６】
（３−４）第４の時間帯
図５に示した第４の時間帯は、１６時である。図４に示したように、第４の時間帯には、アグリゲータ１０は管理装置２ａから電力使用量の促進を受けていない。しかし、アグリゲータ１０の判断部１２ａは、ある時間帯に（具体的には１７時〜１８時）に、電力使用量の抑制を要求する電力調整要求を受ける可能性があると判断している。第４の時間帯には、図示しないリモコンに、暖房ユニット４０ａの運転指令が入力されている。この時、アグリゲータ１０の制御部１２は、第４の時間帯に、暖房装置２０が以下の動作を行うような制御指令を生成し、コントローラ２１に送信する。
【０１２７】
暖房装置２０では、室外機３０が稼動し、図８のように、冷媒回路３５内で冷媒を循環させる。暖房装置２０は、図８のように、室内機５０から蓄熱タンク６０に水媒体が流れる第１状態にある。暖房装置２０では、室内機５０が稼動し、図８のように、室内機５０と蓄熱タンク６０との間を水媒体が循環する。暖房装置２０では、図８のように、暖房ユニット４０ａから蓄熱タンク６０に水媒体が流れる第３状態にある。つまり、暖房装置２０では、第２ポンプ６４が稼動している。暖房装置２０では、暖房ユニット４０ａは稼動し，暖房ユニット４０ｂは停止している。
【０１２８】
言い換えれば、第４の時間帯には、室外機制御部２３ｂは、室外機３０を稼動させる。室外機３０の圧縮機３１のモータの回転数は、室外機制御部２３ｂにより、運転条件等に応じて決定されている。三方弁制御部２３ａは、三方弁６１ａが水媒体連絡管８１ａと水媒体連絡管６２ａとを接続し、三方弁６１ａが水媒体連絡管６２ｂと水媒体連絡管８２ａとを接続するように、三方弁６１ａ，６２ａを操作する。室内機制御部２３ｃは、室内機５０を稼動させている。第２ポンプ制御部２３ｄは、第２ポンプ６４を稼動させる。暖房ユニット制御部２３ｅは、暖房ユニット４０ａを稼動させ，暖房ユニット４０ｂを停止させている。
【０１２９】
ここでは、アグリゲータ１０は電力調整要求を受けていないが、室外機３０の熱が蓄熱タンク６０に搬送されるよう、三方弁制御部２３ａにより三方弁６１ａ，６１ｂが切り替えられている。この様に暖房装置２０が動作することで、電力使用量の抑制を要求する電力調整要求に備えて、蓄熱タンク６０の蓄熱量を増加させることができる。その結果、電力使用量の抑制を要求する電力調整要求を受けた時に、電力調整要求に応じることが容易になる。また、ここでは、アグリゲータ１０は電力調整要求を受けていないが、第２ポンプ６４も運転されている。これにより、蓄熱タンク６０に蓄熱しながら、暖房装置２０の暖房ユニット４０ａ，４０ｂの運転指令にも応じることが可能である。
【０１３０】
（３−４）第５の時間帯
図５に示した第５の時間帯は、１７時〜１８時である。図４に示したように、第５の時間帯には、アグリゲータ１０は管理装置２ａから電力使用量の抑制を要求する電力調整要求を受けている。第５の時間帯には、図示しないリモコンに、暖房ユニット４０ａの運転指令が入力されている。この時、アグリゲータ１０の制御部１２は、第５の時間帯に、暖房装置２０が以下の動作を行うような制御指令を生成し、コントローラ２１に送信する。
【０１３１】
暖房装置２０では、室外機３０が停止している。暖房装置２０は、室内機５０から蓄熱タンク６０に水媒体が流れる第１状態にある。ただし、暖房装置２０では、室内機５０が停止しているため、室内機５０から蓄熱タンク６０に水媒体は流れない。暖房装置２０では、図８のように、暖房ユニット４０ａ，４０ｂから蓄熱タンク６０に水媒体が流れる第３状態にある。つまり、暖房装置２０では、第２ポンプ６４が稼動している。暖房装置２０では、暖房ユニット４０ａ，４０ｂは稼動している。
【０１３２】
言い換えれば、第５の時間帯には、室外機制御部２３ｂは、室外機３０を停止させる。三方弁制御部２３ａは、三方弁６１ａが水媒体連絡管８１ａと水媒体連絡管６２ａとを接続し、三方弁６１ａが水媒体連絡管６２ｂと水媒体連絡管８２ａとを接続するように、三方弁６１ａ，６２ａを操作する。室内機制御部２３ｃは、室内機５０を停止させる。第２ポンプ制御部２３ｄは、第２ポンプ６４を稼動させる。暖房ユニット制御部２３ｅは、暖房ユニット４０ａ，４０ｂを稼動させている。
【０１３３】
ここでは、室外機３０を停止させ、蓄熱タンク６０を暖房ユニット４０ａ，４０ｂの熱源として利用しているので、管理装置２ａの電力調整要求に応じて電力使用量は抑制しながら、暖房装置２０のユーザの要求する暖房運転を行うことができる。
【０１３４】
（３−６）第６の時間帯
図５に示した第６の時間帯は、１９時〜２２時である。図４に示したように、第６の時間帯には、アグリゲータ１０は管理装置２ａから電力調整要求を受けていない。第５の時間帯には、図示しないリモコンに、暖房ユニット４０ａ，４０ｂの少なくとも一方の運転指令が入力されている。この時、アグリゲータ１０の制御部１２は、第２の時間帯と同様の制御指令を生成し、コントローラ２１に送信する。
【０１３５】
（３−７）第７の時間帯
図５に示した第７の時間帯は、２３時である。図４に示したように、第７の時間帯には、アグリゲータ１０は管理装置２ａから電力調整要求を受けていない。しかし、アグリゲータ１０の判断部１２ａは、ある時間帯に（具体的には翌１時〜３時）に、電力使用量の促進を要求する電力調整要求を受ける可能性があると判断している。第７の時間帯には、図示しないリモコンに、暖房ユニット４０ａ，４０ｂの運転指令は入力されていない。この時、アグリゲータ１０の制御部１２は、第５の時間帯と同様の制御指令を生成し、コントローラ２１に送信する。
【０１３６】
第７の時間帯には、アグリゲータ１０は電力調整要求を受けていないが、第２ポンプ６４が稼動され、暖房ユニット４０ａ，４０ｂから蓄熱タンク６０に水媒体が流れる第３状態にある。
【０１３７】
また、第７の時間帯には、ユーザの暖房装置２０に対する指示に基づけば、暖房ユニット４０ａ，４０ｂは停止しているはずであるが、暖房ユニット制御部２４ｅは、停止中の暖房ユニット４０ａ，４０ｂの少なくとも一方を稼動させる。なお、ここでは、暖房ユニット制御部２４ｅは、暖房装置２０のユーザの意向に応じて暖房ユニット４０ａ，４０ｂの稼働状態を制御する。例えば、具体的には、暖房ユニット制御部２４ｅは、人がいる寝室の暖房ユニット４０ａだけを稼動させて寝室の快適性を向上させる。ただし、これに限定されるものではなく、暖房ユニット制御部２４ｅは、両方の暖房ユニット４０ａ，４０ｂを稼動させてもよい。
【０１３８】
なお、第７の時間帯には、室外機制御部２３ｂは、室外機３０は稼動させない。
【０１３９】
上記のように暖房装置２０を動作させることで、暖房装置２０では、蓄熱タンク６０に蓄えられている熱を、電力使用量の促進を要求する電力調整要求に備えて、予め減らすことが可能である。そのため、電力使用量の促進を要求する電力調整要求を受け付けた場合に、これに応じることが容易である。
【０１４０】
（４）特徴
本実施形態のデマンドレスポンスシステム１００は、以下のような特徴を有する。
【０１４１】
（４−１）
本実施形態のデマンドレスポンスシステム１００は、設備装置としての暖房装置２０と、アグリゲータ１０及びコントローラ２１からなる制御装置２００と、を備える。暖房装置２０は、電気を使う熱源機器としての室外機３０、二次側機器としての暖房ユニット４０ａ，４０ｂ、及び循環路としての水媒体回路８０を有する。暖房ユニット４０ａ，４０ｂは、室外機３０の熱を利用する。水媒体回路８０は、室外機３０の熱を暖房ユニット４０ａ，４０ｂに搬送するための水媒体を内部で循環させる。制御装置２００は、上位側から電力調整要求を受け、電力調整要求に応じて暖房装置２０を制御する。水媒体回路８０は、水媒体を蓄える蓄熱タンク６０と、切替手段としての三方弁６１ａ，６１ｂ及び第２ポンプ６４、を有する。三方弁６１ａ，６１ｂは、蓄熱タンク６０に水媒体が流れる第１状態と、蓄熱タンク６０に水媒体が流れない第２状態とを切り替える。第２ポンプ６４は、蓄熱タンク６０に水媒体が流れる第３状態と、蓄熱タンク６０に水媒体が流れない第４状態とを切り替える。制御装置２００は、三方弁６１ａ，６１ｂ及び第２ポンプ６４を切り替える切替制御部として、三方弁制御部２３ａ及び第２ポンプ制御部２３ｄをそれぞれ有する。三方弁制御部２３ａ及び第２ポンプ制御部２３ｄのそれぞれは、電力調整要求を基に、三方弁６１ａ，６１及び第２ポンプ６４を切り替える。
【０１４２】
ここでは、電力調整要求に基づいて、三方弁６１ａ，６１により、蓄熱タンク６０に水媒体が流れる第１状態と、蓄熱タンク６０に水媒体が流れない第２状態とが切り替えられる。また、電力調整要求に基づいて、第２ポンプ６４により、蓄熱タンク６０に水媒体が流れる第３状態と、蓄熱タンク６０に水媒体が流れない第４状態とが切り替えられる。そのため、本デマンドレスポンスシステム１００では、蓄熱タンク６０の適切な利用を図ることが容易で、電力調整要求に応じて、精度よくデマンドレスポンスを実現することが可能である。
【０１４３】
（４−２）
本実施形態のデマンドレスポンスシステム１００は、三方弁制御部２３ａは、制御装置２００が電力調整要求を受けている場合に第１状態になるように切替手段を切り替え、制御装置２００が電力調整要求を受けていない場合に第２状態になるように切替手段を切り替える。また、第２ポンプ制御部２３ｄは、制御装置２００が電力調整要求を受けている場合に第３状態になるように切替手段を切り替え、制御装置２００が電力調整要求を受けていない場合に第４状態になるように切替手段を切り替える。
【０１４４】
ここでは、電力調整要求がある場合に、蓄熱タンク６０に水媒体が流れるように制御されるため、電力使用量の抑制を要求する電力調整要求を受けた場合に、蓄熱タンク６０に蓄えられた熱を暖房ユニット４０ａ，４０ｂが利用でき、電力使用量の促進を要求する電力調整要求を受けた場合には、蓄熱タンク６０に蓄熱することができる。その結果、精度よくデマンドレスポンスを実現することが可能である。
【０１４５】
（４−３）
本実施形態のデマンドレスポンスシステム１００では、制御装置２００は、制御装置２００が所定期間に電力調整要求を受ける可能性があるか否かを判断する判断部１２ａを更に有する。第２ポンプ制御部２３ｄは、判断部１２ａが、制御装置２００が所定期間に電力使用量の促進を要求する電力調整要求を受ける可能性があると判断する場合に、蓄熱タンク６０の蓄熱量を減少させるために、第３状態になるように第２ポンプ６４を運転させる。
【０１４６】
ここでは、所定期間に電力使用量の促進を要求する電力調整要求を受けると判断される場合に、蓄熱タンク６０の蓄熱量が減少させるよう第２ポンプ６４が制御されるため、電力使用量の促進を要求する電力調整要求を受けた時に、その電力調整要求に応じることが容易である。その結果、精度よくデマンドレスポンスを実現することが可能である。
【０１４７】
（４−４）
本実施形態のデマンドレスポンスシステム１００では、制御装置２００は、熱源機器制御部としての室外機制御部２３ｂと、二次側機器制御部としての暖房ユニット制御部２３ｅと、を更に備える。室外機制御部２３ｂは、室外機３０の稼動／停止を制御する。暖房ユニット制御部２３ｅは、暖房ユニット４０ａ，４０ｂの稼動／停止を制御する。判断部１２ａが、制御装置２００が所定期間に電力使用量の促進を要求する電力調整要求を受ける可能性があると判断し、かつ、暖房ユニット４０ａ，４０ｂが停止している場合に、室外機制御部２３ｂは、室外機３０を稼動させない。また、この場合に、暖房ユニット制御部２３ｅは、停止中の暖房ユニット４０ａ，４０ｂを稼動させる。
【０１４８】
ここでは、所定期間に電力の使用促進を要求する電力調整要求を受けると判断され、かつ、暖房ユニット４０ａ，４０ｂが停止している場合に、室外機３０を稼動させることなく、暖房ユニット４０ａ，４０ｂが稼動させられる。そのため、蓄熱タンク６０に蓄えられた熱が暖房ユニット４０ａ，４０ｂに利用され、蓄熱タンク６０の蓄熱量が減少する。その結果、デマンドレスポンスシステム１００は、電力使用量の促進を要求する電力調整要求を受けた時に、蓄熱タンク６０に蓄熱することが容易である。
【０１４９】
（４−５）
本実施形態のデマンドレスポンスシステム１００では、制御装置２００は、判断部１２ａと、熱源機器制御部としての室外機制御部２３ｂと、を更に有する。判断部１２ａは、制御装置２００が所定期間に電力調整要求を受ける可能性があるか否かを判断する。室外機制御部２３ｂは、室外機３０の稼動／停止を制御する。判断部１２ａが、制御装置２００が所定期間に電力使用量の抑制を要求する電力調整要求を受ける可能性があると判断する場合であって、かつ、暖房ユニット４０ａ，４０ｂが停止している場合に、切替制御部としての三方弁制御部２３ａは、第１状態になるように三方弁６１ａ，６１ｂを切り替える。また、その場合に、室外機制御部２３ｂは、室外機３０を稼動させ、蓄熱タンク６０の蓄熱量を増加させる。
【０１５０】
ここでは、所定期間に電力使用量の抑制を要求する電力調整要求を受けると判断され、かつ、暖房ユニット４０ａ，４０ｂが停止している場合に、蓄熱タンク６０に水媒体が流され、室外機３０の熱が蓄熱タンク６０に蓄熱される。そのため、電力使用量の抑制を要求する電力調整要求を受ける前に蓄熱タンク６０に蓄熱しておき、電力使用量の抑制を要求する電力調整要求を受けると、予め蓄熱しておいた蓄熱タンク６０の熱を利用することができる。つまり、デマンドレスポンスシステム１００では、電力使用量の抑制を要求する電力調整要求を受けた時に、その電力調整要求に応じることが容易で、精度よくデマンドレスポンスを実現することが可能である。
【０１５１】
（４−５）
本実施形態のデマンドレスポンスシステム１００では、制御装置２００は、コントローラ２１と、アグリゲータ１０と、を含む。コントローラ２１は、複数の暖房装置２０それぞれに設けられ、暖房装置２０それぞれを制御する。アグリゲータ１０は、複数のコントローラ２１を統括して制御する。
【０１５２】
ここでは、暖房装置２０個別のコントローラ２１と、暖房装置２０のコントローラ２１を統括するアグリゲータ１０と、のいずれかにより暖房装置２０を制御することで、精度よくデマンドレスポンスを実現できる。
【０１５３】
（５）変形例
以下に本実施形態の変形例を示す。なお、互いに矛盾しない範囲で、複数の変形例を適宜組み合わせてもよい。
【０１５４】
（５−１）変形例Ａ
上記実施形態では、暖房装置２０の主な熱源である室外機３０を熱源機器の一例として説明したが、これに限定されるものではない。例えば、電気ヒータ５２を熱源機器の一例と考え、上記実施形態のように動作させた場合にも、上記実施形態と同様の特徴が得られる。
【０１５５】
（５−２）変形例Ｂ
上記実施形態では、三方弁６１ａ，６１ｂと、第２ポンプ６４と、を切替手段の一例として説明したが、これに限定されるものではなく、他の構成を切替手段として利用しても良い。例えば、デマンドレスポンスシステムは、水媒体回路８０に複数の電磁弁が設けられ、電磁弁の開閉が制御されることで、蓄熱タンク６０に水媒体が流れる状態と、蓄熱タンク６０に水媒体が流れない状態とが切り替えられるよう構成されてもよい。
【０１５６】
（５−３）変形例Ｃ
上記実施形態では、図５における第７の時間帯のように、判断部１２ａが、アグリゲータ１０が所定期間に電力使用量の促進を要求する電力調整要求を受ける可能性があると判断した場合であって、かつ、暖房負荷が無い場合（暖房ユニット４０ａ，４０ｂの停止中）に、蓄熱タンク６０を熱源として暖房ユニット４０ａ，４０ｂの暖房運転を行っているがこれに限定されるものではない。
【０１５７】
例えば、デマンドレスポンスシステム１００では、判断部１２ａが、アグリゲータ１０が所定期間に電力使用量の促進を要求する電力調整要求を受ける可能性があると判断し、かつ、暖房ユニット４０ａ，４０ｂが稼動している場合に、室外機制御部２３ｂが室外機３０を停止させてもよい。つまり、図５の第６の時間帯の途中であって暖房負荷が０になる以前に（図示しないリモコンに、暖房ユニット４０ａ，４０ｂの停止指令が入力される前に）、蓄熱タンク６０を熱源とした暖房ユニット４０ａ，４０ｂの暖房運転を開始してもよい。
【０１５８】
ここでも、蓄熱タンク６０に蓄えられた熱を利用して暖房ユニット４０ａ，４０ｂが稼働されるため、蓄熱タンク６０の蓄熱量が減少する。そのため、デマンドレスポンスシステム１００では、電力使用量の促進を要求する電力調整要求を受けた時に、蓄熱タンク６０に蓄熱することが容易である。また、蓄熱タンク６０に蓄えられた熱が有効に利用されるので、省エネルギーである。
【０１５９】
（６−４）変形例Ｄ
上記実施形態では、図５における第３の時間帯のように、判断部１２ａが、アグリゲータ１０が所定期間に電力使用量の抑制を要求する電力調整要求を受ける可能性があると判断した場合であって、かつ、暖房負荷が無い場合（暖房ユニット４０ａ，４０ｂの停止中）に、室外機３０を熱源として蓄熱タンク６０の蓄熱量を増加させているが、これに限定されるものではない。
【０１６０】
例えば、判断部１２ａが、アグリゲータ１０が所定期間に電力使用量の促進を要求する電力調整要求を受ける可能性がないと判断する場合であって、かつ、暖房ユニット４０ａ，４０ｂが停止している場合に、三方弁制御部２３ａは、第１状態になるように三方弁６１ａ，６１ｂを切り替えてもよい。また、室外機制御部２３ｂは、室外機３０を稼動させることで、蓄熱タンク６０の蓄熱量を増加させてもよい。
【０１６１】
ここでは、アグリゲータ１０が所定期間に電力の使用促進を要求する電力調整要求を受ける可能性がないと判断され、かつ、暖房ユニット４０ａ，４０ｂが停止している場合に、蓄熱タンク６０に水媒体が流され、室外機３０の熱が蓄熱タンク６０に蓄熱される。そのため、暖房ユニット４０ａ，４０ｂは、その起動時に、直ちに必要な熱を得ることができ、応答性の高い暖房装置２０を実現できる。
【０１６２】
また、ここでは、所定期間に電力使用量の促進を要求される可能性がないと判断される場合に蓄熱タンク６０に蓄熱されるので、電力使用量の促進を要求する電力調整要求を受けた場合に、蓄熱タンク６０に既に十分蓄熱されており、それ以上蓄熱できないという状態が発生しにくい。そのため、アグリゲータ１０が電力の使用促進を要求する電力調整要求を受けた時に、その電力調整要求に応じることが容易である。
【０１６３】
（６−５）変形例Ｅ
上記実施形態では、図５の第２の時間帯（朝７時〜８時）には、図４のように電力調整要求を受けていないが、アグリゲータ１０が、この時間に電力使用量の抑制を要求する電力調整要求を受けると仮定する。
【０１６４】
この場合、アグリゲータ１０が電力使用量の抑制を要求しているので、原則的には、上記実施形態の図５の第５の時間帯のように、蓄熱タンク６０の水媒体の熱を利用して、暖房ユニット４０ａ，４０ｂが運転される。
【０１６５】
しかし、アグリゲータ１０が電力使用量の抑制を要求する電力調整要求を受け付けていても、蓄熱タンク温度センサ６０ａにより測定される蓄熱タンク６０内の水媒体の温度が所定温度より低い場合には、上記実施形態における図５の第２の時間帯と同様に、暖房装置２０が運転されてもよい。言い換えれば、制御装置２００が電力使用量の抑制を要求する電力調整要求を受け付けている場合であっても、蓄熱タンク６０内の水媒体の温度が所定範囲を外れる場合には、暖房ユニット４０ａ，４０ｂから蓄熱タンク６０に水媒体が流れない第４状態になるように、第２ポンプ制御部２３ｄは、第２ポンプ６４を停止してもよい。
【０１６６】
そのため、蓄熱タンク６０内の水媒体の温度と、暖房ユニット４０ａ，４０ｂで必要とされる水媒体の温度とが乖離しているような場合でも、暖房ユニット４０ａ，４０ｂは直ちに必要な温度の水媒体を得ることが容易で、応答性の高い暖房装置２０が実現される。
【０１６７】
（６−６）変形例Ｆ
上記実施形態では、アグリゲータ１０が判断部１２ａを有しているが、各コントローラ２１が、判断部１２ａの機能を有していてもよい。また、上記実施形態では、アグリゲータ１０の制御部１２は、判断部１２ａの判断を用いてコントローラ２１の制御指令を生成しているが、これに限定されるものではなく、制御部２３の各機能部２３ａ〜２３ｅに対する制御指令の内容は、コントローラ２１の制御部２３が決定してもよい。
【符号の説明】
【０１６８】
１０  アグリゲータ
１２ａ  判断部
２０  暖房装置(設備装置)
２１  コントローラ
２３ａ  三方弁制御部（切替制御部）
２３ｂ  室外機制御部（熱源機器制御部）
２３ｃ  室内機制御部（熱源機器制御部）
２３ｄ  第２ポンプ制御部（切替制御部）
２３ｅ  暖房ユニット制御部（二次側機器制御部）
３０  室外機（熱源機器）
４０ａ，４０ｂ  暖房ユニット（二次側機器）
５３  電気ヒータ（熱源機器）
６０  蓄熱タンク
６０ａ  蓄熱タンク温度センサ（温度検出器）
６１ａ，６１ｂ  三方弁（切替手段）
６４  第２ポンプ（切替手段）
８０  水媒体回路（循環路）
１００  デマンドレスポンスシステム
２００  制御装置
【先行技術文献】
【特許文献】
【０１６９】
【特許文献１】特開２００９−２８１６４２号公報
【特許文献２】特開２０１２−６５４０７号公報
【図１】
2014236581.tif 000003
【図２】
2014236581.tif 000004
【図３】
2014236581.tif 000005
【図４】
2014236581.tif 000006
【図５】
2014236581.tif 000007
【図６】
2014236581.tif 000008
【図７】
2014236581.tif 000009
【図８】
2014236581.tif 000010
【図９】
2014236581.tif 000011